(57)【要約】【課題】ユーザーが意図しない電話番号での発着呼の発生を抑えることができる無線端末を提供する。【解決手段】無線端末は、着信契機で位置情報を取得し、取得した位置情報と設定した動作情報ポリシーに従った着信動作を自動表示し、それを実行できるようにし、さらに一定時間内の間は表示した動作をユーザーが変更できるようにする。発信時は、位置情報を取得し、取得した位置情報に従い、発信電話番号を自動表示し、さらに、それをユーザーが変更できるようにする。【選択図】図１
2012231321.tif 000002
【特許請求の範囲】
【請求項１】
移動通信システムにおいて、着信を契機にＧＰＳ信号または無線基地局からの報知情報を元に検索した位置情報と、発信元電話番号と、に基づいて、着信時動作を実施することを特徴とする無線端末。
【請求項２】
請求項１に記載の無線端末であって、
前記発信元電話番号が自宅用でなく、且つ業務用でないとき、設定された着信時動作を選択することを特徴とする無線端末。
【請求項３】
請求項２に記載の無線端末であって、
前記着信時動作をに表示し、操作を受け付けて、第２の着信動作を実行することを特徴とする無線端末。
【請求項４】
移動通信システムにおいて、発信前にＧＰＳ信号を用いた位置情報を検索し、位置情報と、発信先電話番号と、電話帳に登録された属性に基づいて、複数の電話番号のうちどの電話番号で発信するかを表示することを特徴とする無線端末。
【請求項５】
請求項４に記載の無線端末であって、
選択した電話番号（第１の電話番号）をユーザーに表示し、操作を受け付けて、第２の電話番号で発信することを特徴とする無線端末。
【請求項６】
請求項１または請求項４に記載の無線端末であって、
自宅圏内か会社圏内かを位置情報と半径とを利用して、在エリアの広さを調整することを特徴とする無線端末。
【発明の詳細な説明】
【技術分野】
【０００１】
本発明は、無線端末に係り、特に、発着信を制御する無線端末に関する。
【背景技術】
【０００２】
特許文献１は、複数の電話番号を利用可能な携帯端末において、ユーザーが手動で利用可能電話番号を切替える技術を開示する。また、特許文献１は、端末の位置情報を元にプレゼンス情報（個人の所在や状態に関する情報）を取得する技術も開示する。
【０００３】
特許文献２は、携帯端末が現在位置を正確に推定するための実施方法を開示する。この実施方法は、ＧＰＳ信号を捕捉できない場所でも、複数の基地局ＩＤ情報を利用して正確に位置を推定する。
【先行技術文献】
【特許文献】
【０００４】
【特許文献１】特開２００９−１００１３２号公報
【特許文献２】特開２００９−０１０６３８号公報
【発明の概要】
【発明が解決しようとする課題】
【０００５】
複数の電話番号を利用可能な携帯端末において、ユーザーが手動で利用可能電話番号を切り替える場合、ユーザーが切り替えを忘れる場合がある。このような場合、ユーザーが会社にいて業務用の連絡に個人用電話番号を使ったり、逆に自宅にて個人用の連絡に業務用電話番号を使ったりと無意識に用途と異なる電話番号での発着信が行なわれる可能性がある。
【０００６】
特許文献１の技術により、発呼者側が着呼者側のプレゼンス情報を取得し、その情報を元に発呼者にて切り替え忘れによる発呼を回避することは可能であるが、発呼者側にその意思が無い場合は、着呼者側には用途と異なる番号、つまり、業務用連絡であるにもかかわらず個人用電話番号を使用、または、個人用連絡であるにもかかわらず業務用電話番号での着呼が発生することは避けられない。
【０００７】
また、特許文献１の技術を使用する為には、サーバの設置が必要であり、その設置、運用コストおよびサーバ・端末間のプレゼンス情報送受信に伴うネットワーク負荷が発生する。
【０００８】
また、無線端末の現在位置を推定するには一般的に、ＧＰＳ信号を用いた位置推定を行なう。しかし、ＧＰＳ信号が見えない場合には、特許文献２のような技術で現在位置を推定可能である。しかし、位置情報サーバなどの設置が必要であり、その設置、運用コストおよびサーバ・端末間の基地局ＩＤ情報送信に伴うネットワーク負荷が発生する。
【０００９】
本発明は、上記事情を鑑みて成したものであり、本発明の目的は、複数の電話番号を利用可能な携帯端末において、ユーザーが番号の切り替え操作をしなかった場合に発生しうる用途と異なる番号を使用した発着呼抑制を、サーバ等の設置をせず、無線端末の処理追加だけで実現することにある。
【課題を解決するための手段】
【００１０】
上述した課題は、着信を契機にＧＰＳ信号または無線基地局からの報知情報を元に検索した位置情報と、発信元電話番号と、に基づいて、着信時動作を実施する無線端末により、達成できる。
【００１１】
また、発信前にＧＰＳ信号を用いた位置情報を検索し、位置情報と、発信先電話番号と、電話帳に登録された属性に基づいて、複数の電話番号のうちどの電話番号で発信するかを表示する無線端末により、達成できる。
【発明の効果】
【００１２】
本発明の無線基地局によれば、複数の電話番号を利用可能な携帯端末において、ユーザーが用途と異なる電話番号を使用した発着呼の発生を抑えることができる。
【図面の簡単な説明】
【００１３】
【図１】移動体通信システムの構成を説明するブロック図である。
【図２】無線端末の機能ブロック図である。
【図３】無線端末の位置登録の動作を説明するフローチャートである。
【図４】自宅圏位置情報エリアのデータ配列である。
【図５】会社圏位置情報エリアのデータ配列である。
【図６】無線端末の着信時の動作を説明するフローチャートである。
【図７】在エリアの特定方法を説明するフローチャートである。
【図８】無線端末の電話帳登録の動作を説明するフローチャートである。
【図９】無線端末の発信時の動作を説明するフローチャートである。
【発明を実施するための形態】
【００１４】
以下、本発明の実施の形態について、実施例を用い図面を参照しながら詳細に説明する。なお、実質同一部位には同じ参照番号を振り、説明は繰り返さない。
【００１５】
図１を参照して、移動体通信システムの構成を説明する。図１において、移動体通信システム１００は、複数の基地局３００と、無線端末６００とから構成されている。
【００１６】
無線端末６００は、位置情報を取得するためＧＰＳ衛星５００からの位置情報と基地局の報知情報に含まれる識別コードを利用する。自宅圏内２００においては基地局３００−１の電界強度が最も強くなっていて、続いて基地局３００−２、基地局３００−３が存在している。また、会社圏内２５０においては基地局３００−６の電界強度が最も強くなっていて、続いて基地局３００−７、基地局３００−８が存在している。
【００１７】
無線端末は、発信時および着信時にＧＰＳ衛星５００により位置を測定するか、基地局ＩＤを観測して位置を推定するかで在エリアを判定し、エリアに従った動作を行なう。
【００１８】
図２を参照して、無線端末の構成を説明する。図２において、無線端末６００は、無線部６１０と、ユーザインタフェース部６２０と、ＧＰＳ信号受信部６３０と、ＣＰＵ６４０と、メモリー部６５０と、プログラム格納部６６０とから構成される。無線部６１０は、アンテナ部６１１と、無線信号送受信部６１２と、電界強度測定部６１３とから構成される。ユーザインタフェース部６２０は、位置登録ボタン６２１と、表示部６２２と、電話ボタン６２３とから構成される。メモリー部６５０は、自宅圏位置情報エリア６５１と、会社圏位置情報エリア６５２と、電話帳情報エリア６５３と、業務用電話番号エリア６５４と、個人用電話番号エリア６５５と、着信時動作情報エリア６５６とから構成される。
【００１９】
無線部６１０は、基地局からの電波を処理する。ユーザインタフェース部６２０は、携帯電話のインタフェースである。ＧＰＳ信号受信部６３０は、ＧＰＳ信号を受信し緯度経度を取得する。ＣＰＵ６４０は、プログラムを実行するプロセッサである。メモリー部６５０は、RAMである。プログラム格納部６６０は、ソフトウェアを格納しているROMである。アンテナ部６１１は、基地局から／への電波を送受信する。無線信号送受信部６１２は、アンテナ部６１１からの電波をデジタル信号に変換する。無線信号送受信部６１２は、デジタル信号をＲＦ信号に変換し、アンテナ部６１１へ送出する。電界強度測定部６１３は、デジタル信号から電波の強さを測定する。
【００２０】
位置登録ボタン６２１は、位置登録のためのボタンである。表示部６２２は、携帯電話のディスプレイである。電話ボタン６２３は、通話、終話ボタンである。自宅圏位置情報エリア６５１は、自宅エリアの位置情報を格納するメモリ部である。会社圏位置情報エリア６５２は、会社エリアの位置情報を格納するメモリ部である。電話帳情報エリア６５３は、電話帳情報を格納するメモリ部である。業務用電話番号エリア６５４は、業務用の電話番号を格納するメモリ部である。個人用電話番号エリア６５５は、個人用の電話番号を格納するメモリ部である。着信時動作情報エリア６５６は、着信時の動作を記録しておくメモリ部である。
【００２１】
図３を参照して、発信時および着信時の処理に必要となる位置情報の設定について説明する。図３において、自宅圏内か会社圏内かの登録は、ユーザインタフェース部６２０に搭載される位置登録ボタン６２１の押下によって開始される。無線端末６００は、位置登録ボタン６２１の押下を受け付ける（Ｓ１０１）。無線端末６００は、ＧＰＳ衛星５００からの電波を受信し、位置情報（緯度・経度）を取得する（Ｓ１０２）。無線端末６００は、さらに、電界強度の最も強い上位３局の基地局報知情報に含まれる基地局識別情報（基地局ＩＤ）を取得する（Ｓ１０３）。無線端末６００は、取得した場所について、自宅または会社の選択を受け付ける（Ｓ１０４）。無線端末６００は、さらに、自宅圏または会社圏エリアの半径を設定する（Ｓ１０５）。無線端末６００は、メモリー部６５０に、自宅圏情報または会社圏情報を格納する（Ｓ１０６）。無線端末６００は、着信時の動作として、留守番電話、着信転送、着信拒否とするかの選択を行ない、メモリー部６５０の着信時動作情報エリア６５６に格納する（Ｓ１０７）。
【００２２】
図４および図５を参照して、自宅圏位置情報エリア６５１と会社圏位置情報エリア６５２とのデータ配列を説明する。図４および図５において、自宅圏位置情報エリア６５１と会社圏位置情報エリア６５２とのデータ配列は、ＧＰＳより取得された緯度、経度と、ユーザ入力された半径と、電界強度一位の基地局ＩＤと、電界強度二位の基地局ＩＤと、電界強度三位の基地局ＩＤとを保持する。
【００２３】
図６を参照して、無線端末の着信時の処理を説明する。図６において、無線端末６００は、着信をトリガーとして、ＧＰＳ衛星５００から位置情報の取得を試みる（Ｓ２０２）。無線端末６００は、ＧＰＳで情報取得可能だったか判定する（Ｓ２０３）。ＹＥＳのとき、無線端末６００は、在宅エリアを特定する（Ｓ２０５）。自宅圏のとき、無線端末６００は、着信電話番号が自宅用電話帳に存在するか判定する（Ｓ２０６）。自宅用のとき、無線端末６００は、呼び出しする（Ｓ２１２）。
【００２４】
ステップ２０６で自宅用以外のとき、無線端末６００は、着信時動作（留守電、転送、拒否）を一定時間表示する（Ｓ２０８）。無線端末６００は、この期間中にユーザ選択を受け付けたか判定する（Ｓ２０９）。操作ありのとき、無線端末６００は、ユーザー選択動作（留守電、転送、拒否）を実施する（Ｓ２１０）。ステップ２０９で、操作なしのとき、無線端末６００は、着信動作設定（留守電、転送、拒否）を実施する（Ｓ２１１）。
【００２５】
ステップ２０５で会社圏のとき、無線端末６００は、着信電話番号が業務用電話帳に存在するか判定する（Ｓ２０７）。業務用のとき、無線端末６００は、ステップ２１２に遷移する。ステップ２０７で業務用以外のとき、無線端末６００は、ステップ２０８に遷移する。
【００２６】
ステップ２０５でその他のとき、無線端末６００は、ステップ２１２に遷移する。ステップ２０３でＮＯのとき、無線端末６００は、電界強度の強い上位１０局分の基地局情報を取得して（Ｓ２０４）、ステップ２０５に遷移する。
【００２７】
図７を参照して、図６のステップ２０５の在エリアの特定方法を説明する。図７において、無線端末６００は、ＧＰＳ情報があるか判定する（Ｓ９０１）。ＧＰＳ情報があるとき、無線端末６００は、自宅位置とＧＰＳ取得位置の距離差が半径以下か判定する（Ｓ９０２）。ＹＥＳのとき、無線端末６００は、在エリアを自宅に設定する（Ｓ９０３）。
【００２８】
ステップ９０２でＮＯのとき、無線端末６００は、会社位置とＧＰＳ取得位置の距離差が半径以下か判定する（Ｓ９０４）。ＹＥＳのとき、無線端末６００は、在エリアを会社に設定する（Ｓ９０５）。ステップ９０４でＮＯのとき、無線端末６００は、在エリアをその他に設定する（Ｓ９０６）。
【００２９】
ステップ９０１でＧＰＳ情報がないとき、無線端末６００は、自宅情報に記憶している基地局ＩＤがすべて取得した基地局情報に含まれるか判定する（Ｓ９０７）。ＹＥＳのとき、無線端末６００は、在エリアを自宅に設定する（Ｓ９０８）ステップ９０７でＮＯのとき、無線端末６００は、会社情報に記憶している基地局ＩＤがすべて取得した基地局情報に含まれるか判定する（Ｓ９０９）。ＹＥＳのとき、無線端末６００は、在エリアを会社に設定する（Ｓ９１０）ステップ９０９でＮＯのとき、無線端末６００は、在エリアをその他に設定する（Ｓ９１１）。  図８を参照して、発信時の相手先電話番号の判別に必要となる電話帳登録について説明する。図８において、無線端末６００は、電話帳への登録を受け付ける（Ｓ３０１）。無線端末６００は、登録種別入力を受け付ける（Ｓ３０２）。無線端末６００は、ステップ３０２で受け付けた登録種別を判定して（Ｓ３０３）、業務用であれば、業務用として、電話帳に登録する（Ｓ３０４）。ステップ３０３で個人用であれば、無線端末６００は、個人用として電話帳に登録する（Ｓ３０５）。
【００３０】
図９を参照して、無線端末の発信時の動作について説明する。図９において、無線端末６００は、発信先候補のダイヤル番号を電話帳表示し、選択を受け付ける（Ｓ４０１）。無線端末６００は、発信先が業務用か個人用かを判定する（Ｓ４０２）。業務用であれば、無線端末６００は、使用する自電話番号として、業務用電話番号６５４に記憶されている番号を表示する（Ｓ４０７）。無線端末６００は、ユーザ選択を受け付ける（Ｓ４０９）。業務用を選択されたとき、無線端末６００は、業務用として発信する（Ｓ４１０）。ステップ４０９で、個人用を選択されたとき、無線端末６００は、個人用として発信する（Ｓ４１１）。
【００３１】
ステップ４０２で、個人用であれば、無線端末６００は、使用する自電話番号として個人用電話番号６５５に記憶されている番号を表示して（Ｓ４０８）、ステップ４０９に遷移する。ステップ４０２で、発信先が業務用でも個人用でもなければ、無線端末６００は、ＧＰＳ衛星５００より位置情報の取得を試みる（Ｓ４０３）。無線端末６００は、ＧＰＳによる位置情報取得ができたか判定する（Ｓ４０４）。ＹＥＳのとき、無線端末６００は、在エリアを特定する（Ｓ４０６）。自宅圏のとき、無線端末６００は、ステップ４０８に遷移する。ステップ４０６で自宅圏以外は、ステップ４０７に遷移する。ステップ４０４でＮＯのとき、無線端末６００は、電界強度の強い上位１０局分の基地局情報を取得して（Ｓ４０５）、ステップ４０６に遷移する。
【００３２】
上述した説明から明らかなように、着信時の動作（転送・着信拒否・留守番電話応答）を自動選択し、さらに着信中に動作を手動で選択できるようすることで、ユーザーが意図する着信動作が可能となる。また、発信時の使用電話番号（業務用・個人用）は優先される番号を自動表示するが、ユーザーが表示された番号を選択可能とすることで、意図しない番号での発信を防止することができるようになる。
【符号の説明】
【００３３】
１００…移動体通信システム、３００…複数の基地局、５００…ＧＰＳ衛星、６００…無線端末、６１０…無線部、６２０…ユーザインタフェース部、６３０…ＧＰＳ信号受信部、６４０…ＣＰＵ、６５０…メモリー部、６６０…プログラム格納部。
【図１】
2012231321.tif 000003
【図２】
2012231321.tif 000004
【図３】
2012231321.tif 000005
【図４】
2012231321.tif 000006
【図５】
2012231321.tif 000007
【図６】
2012231321.tif 000008
【図７】
2012231321.tif 000009
【図８】
2012231321.tif 000010
【図９】
2012231321.tif 000011